(57)【要約】【課題】この発明の課題は、従来、産業廃棄物として、廃棄・処理されていたりんごジュースの絞り残渣を、動物や魚類の飼料（餌）として再利用するものであり、りんごジュースの絞り残渣を飼料として活用するための製造方法およびその装置を開発・提供することにある。【解決手段】りんごをジュースに絞った残余の絞り滓である，絞り残渣を、タンク内で、攪拌・圧縮・押圧する工程と、該絞り残渣を一定の太さのチップに成形する工程と、該チップを、高温蒸気で殺菌・落下させる工程と、高温蒸気にて乾燥したチップをスチールベルトコンベアで受け、移動させる工程と、チップをスチールベルトコンベアで搬送しながら、中途に熱風乾燥する工程からなることを特徴とするりんごジュースの絞り残渣を利用した飼料の製造方法及び装置である。【選択図】      図２
2010183875.tif 000002
【特許請求の範囲】
【請求項１】
りんごをジュースに絞った残余の絞り滓である，絞り残渣（Ｘ）を、タンク（１）内に投入する工程と、該タンク（１）内で、攪拌・圧縮・押圧する工程と、該絞り残渣を一定の太さのチップ（Ｘ′）に成形する工程と、該チップを、高温蒸気で乾燥させる工程と、高温蒸気にて乾燥したチップをスチールベルトコンベア（８）で受け、移動させる工程と、チップ（Ｘ′）をスチールベルトコンベア（８）で搬送しながら、中途で熱風乾燥する工程からなることを特徴とするりんごジュースの絞り残渣を利用した飼料の製造方法。  
【請求項２】
底部に行くに従って細くなる逆載頭円錐形状のタンク（１）を設け、該タンク内にりんごをジュースに絞った残余の絞り滓である，絞り残渣（Ｘ）を投入し、該タンク（１）内には、タンクの内側壁面（１ａ）に適合するスパイラルフィン（３）をモーター等の動力源（４）にて回転可能に軸着して設け、前記絞り残渣（Ｘ）を攪拌・圧縮し、この圧縮した絞り残渣を、タンクの側壁（１ｂ）に穿設した排出口穴（６）よりチップ（Ｘ′）として外部に排出すると共に、排出された該残渣のチップを乾燥させる高温蒸気管（７）を設け、前記タンク（１）の下方には、スチールベルトコンベア（８）を設け、該スチールベルトコンベアの中途に熱風乾燥機（９）を設けたことを特徴とするりんごジュースの絞り残渣を利用した飼料の製造装置。
【請求項３】
タンク（１）の底部に、チップ成形用の調整バルブ（10）を設けたことを特徴とする請求項２記載のりんごジュースの絞り残渣を利用した飼料の製造装置。
【発明の詳細な説明】
【技術分野】
【０００１】
この発明は、りんごジュースの絞り残渣を利用した飼料の製造方法に関するものであり、産業廃棄物の有効利用であり、牛、豚等の家畜の飼料、養魚場におして飼育するまぐろ、はまち、ウナギ等の飼料の製法及び製造装置である。
【背景技術】
【０００２】
従来、りんごは、果物であり、直接、生で食するほかに、りんごチップス・りんごジャム・りんごジュース等に加工して長期保存可能を可能にしている。
【０００３】
しかしながら、りんごジュースとして利用する場合には、ジュースの絞り滓である絞り残渣が多量に排出されており、この絞り残渣は、産業廃棄物であり、その廃棄処理には問題があるものである。
【０００４】
ところで、マグロやはまち等の養魚場の飼料は、生の小魚を利用しており、また、牛、馬、豚等の畜産業での飼料は、おから等の産業廃棄物を利用しておいる。
例えば、特許文献１のように。
【先行技術文献】
【特許文献】
【０００５】
【特許文献１】特開２００８−２１２１３１号公報
【発明の概要】
【発明が解決しようとする課題】
【０００６】
そこで、この発明の課題は、従来、産業廃棄物として、廃棄・処理されていたりんごジュースの絞り残渣を、再利用するものであり、このりんごジュースの絞り残渣を加工することにより、飼料として活用するための製造方法およびその装置を開発・提供することにある。
【課題を解決するための手段】
【０００７】
上記の課題を解決するため、この発明者は、産業廃棄物として、廃棄・処理されていたりんごジュースの絞り残渣を、チップ状の飼料とし、動物や魚類の飼料（餌）として、また、他の飼料と共に与えるものであり、産業廃棄物であるりんごジュースの絞り残渣を利用した飼料の製造方法およびその装置を開発・提供することにある。
【発明の効果】
【０００８】
この発明の方法によると、産業廃棄物である，りんごジュースの絞り残渣を、簡単な方法によって、順次、多量に製造でき、牛、豚等の家畜の飼料、養魚場において飼育する，まぐろ、はまち、ウナギ等の飼料が得られ、また、この製造装置を用いることにより、簡単に作動でき、りんごジュースの絞り残渣をチップとして有効利用できる等極めて有益なる効果を奏する。
【図面の簡単な説明】
【０００９】
【図１】実施の形態１で説明する本発明のチップ製造方法の一例の工程図である。
【図２】実施の形態２で説明する本発明のチップ製造装置の一例の説明図である。
【図３】実施の形態２で説明する本発明のチップ製造装置の一例の拡大図である。
【発明を実施するための形態】
【００１０】
以下、本発明について詳細に説明する。なお、本発明においては、以下の記述に限定されるものではなく、本発明の要旨を逸脱しない範囲においては適宜変更可能である。
【実施例】
【００１１】
〔実施の形態１〕
実施の形態１で説明する本発明のりんごジュースの絞り残渣を利用した飼料の製造方法は、図１のように、りんごをジュースに絞った残余の絞り滓である，絞り残渣を、タンク内に投入する工程と、該タンク内で、攪拌・圧縮・押圧する工程と、該絞り残渣を一定の太さのチップに成形する工程と、該チップを、高温蒸気で乾燥させる工程と、高温蒸気にて乾燥したチップをスチールベルトコンベアで受け、移動させる工程と、チップをスチールベルトコンベアで搬送しながら、中途で熱風乾燥する工程からなることを特徴とするりんごジュースの絞り残渣を利用した飼料の製造方法から構成される。
【００１２】
尚、本発明のりんごをジュースに絞った残余の絞り滓である，絞り残渣（Ｘ）は、絞り残渣の固体粒度が小さく、かつ固体濃度が高い泥状であり、該絞り滓を、タンク（１）内に投入する場合には、スラリーポンプ（２）を使用してもよい。
さらに、りんごジュースの絞り残渣を利用した飼料の製造方法に使用される原料としては、りんごの種類については、特に、限定しない。
【００１３】
〔実施の形態２〕
上述の実施の形態１では、りんごジュースの絞り残渣を利用した飼料の製造方法を説明したが、実施の形態２では、該りんごジュースの絞り残渣を利用した飼料の製造装置について説明する。
【００１４】
実施の形態２で説明するりんごジュースの絞り残渣を利用した飼料の製造装置は図２のように、原料となるりんごジュースの絞り残渣をチップ状に形成する装置について、具体的に説明する。
【００１５】
底部に行くに従って細くなる逆載頭円錐形状のタンク（１）を設け、該タンク（１）内には、直接、あるいは、スラリーポンプ（２）を介して、りんごをジュースに絞った残余の絞り滓である残渣（Ｘ）を投入し、該タンク（１）内には、タンクの内側壁面（１ａ）に適合するスパイラルフィン（３）に軸（５）にて軸着して、該軸（５）をモーター等の駆動源（４）にて回転可能に設けるものである。
【００１６】
次に、タンク（１）内に流入された前記絞り残渣（Ｘ）は、前記スパイラルフィン（３）にて、圧縮されながら下方に移動する。
【００１７】
そして、圧縮された絞り残渣（Ｘ）は、タンク（１）の側壁（１ｂ）に穿設された無数の排出口穴（６）より、タンク（１）の外部に排出されるものである。
【００１８】
排出された残渣（Ｘ）は、前記タンク（１）の排出口穴（６）の径を有するチップ（Ｘ′）となり、下方に落下する。
【００１９】
尚、落下する際に、前記タンク（１）の排出口穴（６）より排出されるチップ（Ｘ′）は、前記排出口穴（６）の上方に、複数個設けられた高温蒸気管（７）より、発せられる高温蒸気により、乾燥するものである。
【００２０】
そして、前記高温蒸気管（７）の上部には、タンク（１）の外壁に傾斜した庇（  ）を設けることにより、排出口穴（６）より、落下するチップ（Ｘ′）が、高温蒸気管（７）に係止されることなく、スチールベルトコンベア（８）に落下するよう構成してもよい。  
【００２１】
さらに、前記タンク（１）の下方には、スチールベルトコンベア（８）を設け、前記  排出口穴（６）より落下したチップ（Ｘ′）を移動させる。
【００２２】
該スチールベルトコンベア（８）の中途には、トンネル状の熱風乾燥機（９）を設け、熱風にて乾燥させて、りんごジュースの絞り残渣を利用した飼料の製造装置とするものである。
【産業上の利用可能性】
【００２３】
この発明のよると、りんごジュースの絞り残渣を利用した飼料の製造方法および製造装置の製造技術を確立し、それに基づいて製造・販売することにより、産業上の利用可能性があるものである。
【符号の説明】
【００２４】
１  タンク
１ａ  タンクの内側壁面
１ｂ  タンクの側壁
２  スラリーポンプ
３  スパイラルフィン
４  モーター
５  回転軸
６  排出口穴
７  高温蒸気管
８  スチールベルトコンベア
９  トンネル状の熱風乾燥機
Ｘ  絞り残渣
Ｘ′チップ
【図１】
2010183875.tif 000003
【図２】
2010183875.tif 000004
【図３】
2010183875.tif 000005